(57)【要約】【課題】草を内側へかき寄せて、効率よく且つ確実に刈り取ることができ、草の絡みつきを防ぐ草刈刃を提供すること。【解決手段】草刈刃の刈刃３０は、長さが幅より大きい細長い形状の刃であり、中心に回転軸の組付孔３１が設けられ、組付孔３１を挟んだ両側に２つの傍側部３２が設けられ、２つの傍側部３２が、４つの側辺部３３に連接され、４つの側辺部３３に２つの端辺３４が連接され、側辺部３３には、端辺３４から傍側部３２へ近づくに従って組付孔３１側に接近するよう、直線状に傾斜した直線傾斜刃部３５、又は、湾曲して傾斜した弧状傾斜刃部が設けられ、傍側部３２を挟んで相隣する２つの直線傾斜刃部３５又は弧状傾斜刃部の傾斜方向が相反し、傍側部３２の周縁にそれぞれ弧形突出刃部３６が設けられる。【選択図】図３
0003227776.tif 000002
【実用新案登録請求の範囲】
【請求項１】
草刈刃であって、刈刃を含み、
前記刈刃は、長さが幅より大きい細長い形状の刃であり、該刈刃の中心位置に回転軸の組付孔が設けられ、該組付孔を挟んだ両側に２つの傍側部が設けられ、該２つの傍側部が、前記刈刃の長辺を形成する４つの側辺部に連接され、該４つの側辺部に前記刈刃の短辺である２つの端辺が連接され、
前記４つの側辺部には、前記端辺から前記傍側部へ近づくに従って次第に前記組付孔側に接近するよう直線状に傾斜した直線傾斜刃部がそれぞれ設けられ、かつ前記傍側部を挟んで相隣する２つの前記直線傾斜刃部の傾斜方向が相反し、正方向直線傾斜刃部には逆方向直線傾斜刃部が相隣され、前記２つの傍側部の周縁にはそれぞれ弧形突出刃部が設けられて、前記刈刃の中央に切断作用を有する該弧形突出刃部が形成されたことを特徴とする、草刈刃。
【請求項２】
前記直線傾斜刃部に複数の鋭角状の凹陥刃先が設けられ、前記直線傾斜刃部がかき寄せた草を、前記鋭角状の凹陥刃先が切断することができることを特徴とする、請求項１に記載の草刈刃。
【請求項３】
前記２つの弧形突出刃部の両端部が、弧状の凹部である２つの弧辺Ｒ角まで延伸されたことを特徴とする、請求項１に記載の草刈刃。
【請求項４】
草刈刃であって、刈刃を含み、
前記刈刃は、長さが幅より大きい細長い形状の刃であり、該刈刃の中心位置に回転軸の組付孔が設けられ、該刈刃の該組付孔の傍に２つの傍側部が設けられ、該２つの傍側部が前記刈刃の長辺を形成する４つの側辺部に連接され、該４つの側辺部に前記刈刃の短辺である２つの端辺が連接され、
前記４つの側辺部には、前記端辺から前記傍側部へ近づくに従って次第に前記組付孔側に接近するよう湾曲して傾斜した弧状傾斜刃部がそれぞれ設けられ、かつ相隣する２つの該弧状傾斜刃部の傾斜方向が相反し、正方向弧状傾斜刃部には逆方向弧状傾斜刃部が相隣され、該２つの傍側部の周縁にそれぞれ弧形突出刃部が設けられて、前記刈刃の中央に切断作用を有する前記弧形突出刃部が形成されたことを特徴とする、草刈刃。
【請求項５】
前記弧状傾斜刃部に複数の鋭角状の凹陥刃先が設けられ、前記弧状傾斜刃部がかき寄せた草を、前記鋭角状の凹陥刃先が切断することができることを特徴とする、請求項４に記載の草刈刃。
【請求項６】
前記２つの弧形突出刃部の両端部が、弧状の凹部である２つの弧辺Ｒ角まで延伸されたことを特徴とする、請求項４に記載の草刈刃。
【考案の詳細な説明】
【技術分野】
【０００１】
本考案は、草をかき寄せて刈り取ることで、効果的かつ完全に草を刈り取ることができ、かつ草の絡みつき防止の効果を備えた、草刈刃に関する。
【背景技術】
【０００２】
従来、草刈り用の刃として、特許文献１及び特許文献２に記載のような刈払い機用二枚刃が知られている。
この刈払い機用二枚刃は、図１に示すように、回転軸孔１１が盤体の中心に設けられ、かつ回転方向の周縁部に線形部分が形成され、適切な間隔で複数の弧形形状の切欠部１２が設置されている。また、別の特色として盤体１０は中間が最も幅広であり、４つの直線状刃部１３が両端の方向に向かって内側に斜めに窄まり、２つの端辺１４の幅が最も狭くなっている。さらに、盤体１０は回転軸孔１１の所の両側辺１５が弧形ではなく、かつ刃部の設計がない、作用しない部分となっている。その内側に斜めに窄まった刃部１３は草を外側へ押しのけるもので、内側に集めて刈り取るのではない。また、さらにその弧形形状の切欠部１２は弧形であり、鋭角の刃先ではない。
【０００３】
図２には、特許文献３に開示されている草刈機用刈払刃を示す。
この刈払刃２０はほぼ矩形の形状であり、かつ両側外周縁部に複数の鋸歯状の刃部２１が形成されている。また、４つの刃部２２が両端の方向に向かって内側に斜めに窄まり、中間部が最も幅広で両端が最も狭い状態を形成している。さらに、刃中段部２３には刃部がなく、この部分は作用しない部分である。また、さらに鋸歯状の刃部２１は刃の両端側部の辺縁に設けられている。その内側に斜めに窄まっている刃部２２は、草を外側へ押しのけるもので、内側に集めて刈り取るのではない。また、さらにその鋸歯状の刃部は弧形の刃先で、鋭角の刃先ではない。
【０００４】
特許文献４に記載された刈払い機トリマーヘッドは、その鋸歯形状の部分が同じ幅の区域内に配置されているため、単に切断の作用しかなく、集めたり押しのけたりする作用はない。また、その鋸歯はすべて弧形の刃先で、鋭角の刃先ではない。さらに、中間の弧形突出刃部のような作用する刃部の部分はない。
【先行技術文献】
【特許文献】
【０００５】
【特許文献１】特許第４０３５５６３号公報
【特許文献２】特開２０１３−９６１２号公報
【特許文献３】実開平３−８３０２０号公報
【特許文献４】米国特許第５８５２８７６号明細書
【考案の概要】
【考案が解決しようとする課題】
【０００６】
上記従来の草刈刃は、草刈り時に草が外側に押しのけられて効果的かつ完全に刈ることができなかった。
本考案が解決しようとする課題は、草を内側へかき寄せて、効率よく、確実に刈り取ることができ、草の絡みつきを防ぐ草刈刃を提供することにある。
【課題を解決するための手段】
【０００７】
本考案の草刈刃は、刈刃を含み、前記刈刃は、長さが幅より大きい細長い形状の刃であり、該刈刃の中心位置に回転軸の組付孔が設けられ、該組付孔を挟んだ両側に２つの傍側部が設けられ、該２つの傍側部が、前記刈刃の長辺を形成する４つの側辺部に連接され、該４つの側辺部に前記刈刃の短辺である２つの端辺が連接され、前記４つの側辺部には、前記端辺から前記傍側部へ近づくに従って次第に前記組付孔側に接近するよう直線状に傾斜した直線傾斜刃部がそれぞれ設けられ、かつ前記傍側部を挟んで相隣する２つの前記直線傾斜刃部の傾斜方向が相反し、正方向直線傾斜刃部には逆方向直線傾斜刃部が相隣され、前記２つの傍側部の周縁にはそれぞれ弧形突出刃部が設けられて、前記刈刃の中央に切断作用を有する該弧形突出刃部が形成されている。
【０００８】
あるいは、本考案の草刈刃は、刈刃を含み、前記刈刃は、長さが幅より大きい細長い形状の刃であり、該刈刃の中心位置に回転軸の組付孔が設けられ、該刈刃の該組付孔の傍に２つの傍側部が設けられ、該２つの傍側部が前記刈刃の長辺を形成する４つの側辺部に連接され、該４つの側辺部に前記刈刃の短辺である２つの端辺が連接され、前記４つの側辺部には、前記端辺から前記傍側部へ近づくに従って次第に前記組付孔側に接近するよう湾曲して傾斜した弧状傾斜刃部がそれぞれ設けられ、かつ相隣する２つの該弧状傾斜刃部の傾斜方向が相反し、正方向弧状傾斜刃部には逆方向弧状傾斜刃部が相隣され、該２つの傍側部の周縁にそれぞれ弧形突出刃部が設けられて、前記刈刃の中央に切断作用を有する前記弧形突出刃部が形成されている。
【０００９】
直線傾斜刃部と弧状傾斜刃部に複数の鋭角状の凹陥刃先を設け、前記直線傾斜刃部がかき寄せた草を、前記鋭角状の凹陥刃先で切断するようにもできる。
【００１０】
２つの弧形突出刃部の両端部を、弧状の凹部である２つの弧辺Ｒ角まで延伸してもよい。
【考案の効果】
【００１１】
本考案の草刈刃は、直線傾斜刃部または弧状傾斜刃部により草を内側にかき寄せて切断し、中心部分で倒れて切断できない草は、弧形突出刃部を利用して強制的に切断し、これにより、効率よく確実に草を刈ることができ、また、弧形突出刃部により草が絡みついた時の刈り取りを行い、完全な草刈りと、草の絡みつき防止の目的を達成することができる。
【００１２】
直線傾斜刃部と弧状傾斜刃部に複数の鋭角状の凹陥刃先を設ければ、切断効率を高めることができる。
弧形突出刃部の両端部を、弧状の凹部である２つの弧辺Ｒ角まで延伸すると、絡みついた草を切断しやすい。
【図面の簡単な説明】
【００１３】
【図１】従来の草刈刃の平面図である。
【図２】別の従来の草刈刃の平面図である。
【図３】本考案の実施例１を示す草刈刃の斜視図である。
【図４】本考案の実施例１を示す草刈刃の平面図である。
【図５】本考案の実施例１を示す草刈刃の刈払い機に取り付けた状態の概略図である。
【図６】本考案の実施例２を示す草刈刃の斜視図である。
【図７】本考案の実施例２を示す草刈刃の平面図である。
【図８】本考案の実施例２を示す草刈刃の刈払い機に取り付けた状態の概略図である。
【図９】本考案の実施例２において、草のかき寄せと刈り取り動作を示す概略図である。
【考案を実施するための形態】
【００１４】
以下、図面に基づいて本考案の実施例を詳細に説明する。なお、本考案は、実施例に限定されない。
【００１５】
［実施例１］
以下、本考案の実施例１を、図３乃至図５と共に説明する。
本考案の草刈刃は、刈刃３０を含む。
刈刃３０は、長さが幅より大きい細長い形状の刃であり、刈刃３０の中心位置に刈払い機６０の回転軸６１を組み込むために用いる組付孔３１が設けられる。
刈刃３０の組付孔３１を挟んだ両側に２つの傍側部３２が設けられ、これら２つの傍側部３２が、刈刃３０の長辺を形成する４つの側辺部３３に連接され、４つの側辺部３３に、刈刃３０の短辺となる２つの端辺３４が連接される。
【００１６】
４つの側辺部３３には直線傾斜刃部３５が設けられる。
直線傾斜刃部３５は、端辺３４から傍側部３２へ近づくに従って次第に組付孔３１側に接近するよう直線状に傾斜しており、傍側部３２を挟んで相隣する２つの直線傾斜刃部３５の傾斜方向が相反し、正方向直線傾斜刃部３５ａには逆方向直線傾斜刃部３５ｂが相隣される。
【００１７】
２つの傍側部３２の周縁にはそれぞれ弧形突出刃部３６が設けられる。すなわち、刈刃３０の中央にも切断作用を有する弧形突出刃部３６が形成され、２つの弧形突出刃部３６の両端部が、弧状の凹部である２つの弧辺Ｒ角３６１まで延伸される。
【００１８】
これにより、直線傾斜刃部３５が草をかき寄せ、さらに直線傾斜刃部３５を利用して刈り取りを行い、弧形突出刃部３６及び弧辺Ｒ角３６１が中心部分で倒れて切断できない草を強制的に刈り取ることができ、弧形突出刃部３６及び弧辺Ｒ角３６１により草が絡みついた時の刈り取りを行い、完全な草刈りと、草の絡みつき防止の目的を達成することができる。
【００１９】
直線傾斜刃部３５には複数の鋭角状の凹陥刃先３５１が設けられる。直線傾斜刃部３５は草をかき寄せることができ、鋭角状の凹陥刃先３５１の切断作用により草の刈り取りを有利にすることができる。
【００２０】
［実施例２］
図６から図９は、本考案の実施例２を示す。
本考案の草刈刃は、刈刃４０を含む。
刈刃４０は、長さが幅より大きい細長い形状の刃であり、刈刃４０の中心位置に刈払い機６０の回転軸６１を組み込むために用いる組付孔４１が設けられる。
刈刃４０の組付孔４１を挟んだ両側に２つの傍側部４２が設けられ、これら２つの傍側部４２が、刈刃４０の長辺を形成する４つの側辺部４３に連接され、４つの側辺部４３に、刈刃４０の短辺となる２つの端辺４４が連接される。
【００２１】
４つの側辺部４３には弧状傾斜刃部４５がそれぞれ設けられる。
弧状傾斜刃部４５は、端辺４４から傍側部４２へ近づくに従って次第に組付孔４１側に接近するよう凹状に湾曲して傾斜しており、傍側部４２を挟んで相隣する２つの弧状傾斜刃部４５の傾斜方向が相反し、正方向弧状傾斜刃部４５ａには逆方向弧状傾斜刃部４５ｂが相隣される。
【００２２】
２つの傍側部４２には２つの弧形突出刃部４６が設けられる。すなわち、刈刃４０の中央にも切断作用を有する弧形突出刃部４６が形成され、２つの弧形突出刃部４６の両端部が、弧状の凹部である２つの弧辺Ｒ角４６１まで延伸される。
【００２３】
これにより、中心部分で倒れて切断できない草を、弧形突出刃部４６が２つの弧辺Ｒ角４６１まで延伸された設計により強制的に刈り取ることができる。弧形突出刃部４６及び弧辺Ｒ角４６１により草が絡みついた時の刈り取りを行うことで、完全な草刈りと、草の絡みつき防止の目的を達成することができる。
【００２４】
弧状傾斜刃部４５には複数の鋭角状の凹陥刃先４５１が設けられる。弧状傾斜刃部４５は草をかき寄せることができ、鋭角状の凹陥刃先４５１の切断作用により草の刈り取りを有利にすることができる。
【００２５】
図９に示すように、反時計回りに回転する刈刃４０は、長さ方向中央部に向かって徐々に幅が窄まるよう傾斜した弧状傾斜刃部４５を備えている。
これは、従来の長方形の刈刃のように、同じ幅または長さ方向両端に向かって徐々に窄まる（図１参照）刈刃とは異なる。同じ幅の刃部は切断の効果しかなく、両端部に向かって徐々に窄まる刃部は草を外側に押しのけながら切断するが、この外側に向かって押しのける動作は切断動作に不利である。
手作業用の草刈り鎌の動作も内側にかき寄せて切断するが、内側にかき寄せて集めることにより草５１をより効率的に刈り取ることができるため、直線傾斜刃部または弧状傾斜刃部４５を効果的に利用して草をかき寄せると共に、刈り取り動作は直線傾斜刃部または弧状傾斜刃部４５の複数の鋭角の凹陥刃先４５１を利用する。
中心部分で倒れて切断できない草は、弧形突出刃部４６及び両側に延伸された弧辺Ｒ角４６１を利用して、強制的に切断する。これにより完全な草刈りと、草の絡みつき防止の目的を達成することができる。
【００２６】
以上は、本考案の最良の実施例を説明したにすぎず、本考案の要旨を逸脱しない変更や修正はいずれも本考案の権利範囲に含まれる。
【符号の説明】
【００２７】
〔従来品〕
１０                      盤体
１１                      回転軸孔
１２                      弧形形状の切欠部
１３                      刃部
１４                      端辺
１５                      側辺
２０                      刈払刃
２１                      鋸歯状の刃部
２２                      刃部
２３                      刃中段部
〔本考案〕            
３０                      刈刃
３１                      組付孔
３２                      傍側部
３３                      側辺部
３４                      端辺
３５                      直線傾斜刃部
３５ａ                    正方向直線傾斜刃部
３５ｂ                    逆方向直線傾斜刃部
３５１                    凹陥刃先
３６                      弧形突出刃部
３６１                    弧辺Ｒ角
４０                      刈刃
４１                      組付孔
４２                      傍側部
４３                      側辺部
４４                      端辺
４５                      弧状傾斜刃部
４５ａ                    正方向弧状傾斜刃部
４５ｂ                    逆方向弧状傾斜刃部
４５１                    凹陥刃先
４６                      弧形突出刃部
４６１                    弧辺Ｒ角
５１                      草
６０                      刈払い機
６１                      回転軸
【図１】
0003227776.tif 000003
【図２】
0003227776.tif 000004
【図３】
0003227776.tif 000005
【図４】
0003227776.tif 000006
【図５】
0003227776.tif 000007
【図６】
0003227776.tif 000008
【図７】
0003227776.tif 000009
【図８】
0003227776.tif 000010
【図９】
0003227776.tif 000011